(57)【特許請求の範囲】
【請求項１】
内燃機関により駆動されるジェット推進ポンプから供給される冷却水を内燃機関に導いて冷却を行う小型滑走艇用内燃機関において、
ジェット推進ポンプから導入された冷却水が排気マニホールドを経由して内燃機関本体に向う第１冷却水経路と、
ジェット推進ポンプから導入された冷却水がオイルクーラを経由して排気管に向う第２冷却水経路と、
前記第２冷却水経路の前記オイルクーラから流出する冷却水の一部を分岐して前記第１冷却水経路の内燃機関本体へ流入する冷却水に合流させるバイパス冷却水経路とを備えることを特徴とする小型滑走艇用内燃機関。
【請求項２】
内燃機関により駆動されるジェット推進ポンプから供給される冷却水を内燃機関に導いて冷却を行う過給機付きの小型滑走艇用内燃機関において、
ジェット推進ポンプから導入された冷却水が過給機により加圧された吸気を冷却するインタークーラを冷却した後に排気マニホールドを経由して内燃機関本体に向う第１冷却水経路と、
ジェット推進ポンプから導入された冷却水がオイルクーラを冷却した後に前記過給機を経由して排気管に向う第２冷却水経路と、
前記第２冷却水経路の前記オイルクーラから流出する冷却水の一部を分岐して前記第１冷却水経路の内燃機関本体へ流入する冷却水に合流させるバイパス冷却水経路とを備えることを特徴とする小型滑走艇用内燃機関。
【発明の詳細な説明】
【技術分野】
【０００１】
本発明は、ジェット推進ポンプを駆動して水上を走行する小型滑走艇に搭載される内燃機関に関する。
【背景技術】
【０００２】
小型滑走艇に搭載される内燃機関は、小型滑走艇を浮かべている水を冷却水として利用して内燃機関の冷却を行っており、内燃機関により駆動されるジェット推進ポンプの下流正圧側から水を導入して内燃機関の所要部に供給されるようになっている。
【０００３】
陸上を走行する車両に搭載される内燃機関の冷却系は、冷却水が循環するが、小型滑走艇に搭載される内燃機関の冷却系は、常に新しい冷却水が供給されて内燃機関を冷却するので、冷間時には内燃機関の暖機前に過冷却となることがある。
【０００４】
内燃機関が過冷却状態になると、ピストンとシリンダの隙間を抜けるブローバイガスが増加し燃料が潤滑油に溶け込み潤滑油が希釈化される所謂ダイリューションが進行して潤滑油の劣化が早まってしまう。
そこで、小型滑走艇に搭載される内燃機関では、冷却水が内燃機関本体に供給される前に、排気系を経由するようにしている（例えば、特許文献１参照）。
【０００５】
【特許文献１】特開２００３−４９６４５号公報
【０００６】
同特許文献１に開示された水ジェット推進艇（小型滑走艇）の内燃機関における冷却系は、ジェット推進機の水吸引口から導入された冷却水が分岐されて２つの冷却水経路が構成されている。
【０００７】
その一方の冷却水経路は、上流側排気管，排気マニホールドを経由して内燃機関本体のシリンダ、次いでシリンダヘッドに向かう経路であり、上流側排気管および排気マニホールドで昇温された冷却水がシリンダおよびシリンダヘッドのウォータジャケットに供給されるようにして、内燃機関が暖機前に過冷却となるのを防止して潤滑油のダイリューションを緩和している。
【０００８】
他方の冷却水経路は、オイルタンクを経由して下流側排気管、次いでマフラーに向かう経路であり、オイルタンクでオイルを冷却した冷却水が下流側排気管およびマフラーに供給されて、排気管の下流側およびマフラーを冷却するようになっている。
【発明の開示】
【発明が解決しようとする課題】
【０００９】
しかし、内燃機関が暖機された後は、前者の内燃機関本体を冷却する冷却水経路において、上流側排気管および排気マニホールドを経た冷却水の温度は高過ぎ、かかる高温の冷却水がシリンダおよびシリンダヘッドのウォータジャケットに供給されることになり、内燃機関を効率良く冷却することができない。
【００１０】
本発明は、かかる点に鑑みなされたもので、その目的とする処は、内燃機関の暖機前の過冷却を防止するとともに、暖機後の内燃機関の冷却を効率良く行うことができる小型滑走艇用内燃機関を供する点にある。
【課題を解決するための手段】
【００１１】
上記目的を達成するために、請求項１記載の発明は、内燃機関により駆動されるジェット推進ポンプから供給される冷却水を内燃機関に導いて冷却を行う小型滑走艇用内燃機関において、ジェット推進ポンプから導入された冷却水が排気マニホールドを経由して内燃機関本体に向う第１冷却水経路と、ジェット推進ポンプから導入された冷却水がオイルクーラを経由して排気管に向う第２冷却水経路と、前記第２冷却水経路の前記オイルクーラから流出する冷却水の一部を分岐して前記第１冷却水経路の内燃機関本体へ流入する冷却水に合流させるバイパス冷却水経路とを備える小型滑走艇用内燃機関とした。
【００１２】
請求項２記載の発明は、内燃機関により駆動されるジェット推進ポンプから供給される冷却水を内燃機関に導いて冷却を行う過給機付きの小型滑走艇用内燃機関において、ジェット推進ポンプから導入された冷却水が過給機により加圧された吸気を冷却するインタークーラを冷却した後に排気マニホールドを経由して内燃機関本体に向う第１冷却水経路と、ジェット推進ポンプから導入された冷却水がオイルクーラを冷却した後に前記過給機を経由して排気管に向う第２冷却水経路と、前記第２冷却水経路の前記オイルクーラから流出する冷却水の一部を分岐して前記第１冷却水経路の内燃機関本体へ流入する冷却水に合流させるバイパス冷却水経路とを備える小型滑走艇用内燃機関である。
【発明の効果】
【００１３】
請求項１記載の小型滑走艇用内燃機関によれば、第１冷却水経路において、暖まるのが早い排気マニホールドを経て昇温された冷却水が、内燃機関本体のシリンダブロックやシリンダヘッドに供給されるので、暖機前の内燃機関の過冷却が防止されて潤滑油のダイリューションを緩和することができ、暖機後は排気マニホールドを経て昇温された冷却水は高温すぎるので、バイパス冷却水経路を介してオイルクーラからの冷却水の一部を合流させて温度を下げた状態で内燃機関本体に供給することができ、内燃機関を効率良く冷却することができる。
【００１４】
請求項２記載の小型滑走艇用内燃機関によれば、過給機とインタークーラとを備えた小型滑走艇用内燃機関において、前記第１冷却水経路における排気マニホールドの上流側にインタークーラを介装することで、ジェット推進ポンプから導入された冷却水はインタークーラで吸気を冷却できるとともに、インタークーラを冷却した冷却水が排気マニホールドに流れて昇温されることになり、この昇温された冷却水が、内燃機関本体のシリンダブロックやシリンダヘッドに供給されるので、暖機前の内燃機関の過冷却が防止されて潤滑油のダイリューションを緩和することができる。
【００１５】
また、暖機後は排気マニホールドを経て昇温された冷却水は高温すぎるので、バイパス冷却水経路を介して過給機より上流のオイルクーラからの冷却水の一部を合流させて温度を下げた状態で内燃機関本体に供給することができ、内燃機関を効率良く冷却することができる。
【発明を実施するための最良の形態】
【００１６】
以下、本発明に係る一実施の形態について図１ないし図２０に基づいて説明する。
本実施の形態に係る小型滑走艇用内燃機関20を搭載した小型滑走艇１の側面図を図１に、同平面図を図２に、その断面図を図３に図示する。
【００１７】
本小型滑走艇１は、下側の船底を形成するハル３と上側のデッキ４により内部に空間を形成して浮体構造をなす船体２が構成され、船体２内の空間に内燃機関20が収容され、船体２上のデッキ４の中央のシート５に乗員が１人〜３人鞍乗りに着座し、シート５の前方のバーハンドル６を操作して操縦する小型鞍乗り型船舶である。
【００１８】
この小型滑走艇１の推進手段は、内燃機関20により駆動されるジェット推進ポンプ10であり、ハル３の後部に配置されている。
ジェット推進ポンプ10は、軸流式ポンプで、船底に開口した取水口12から船体後端に開口した噴流口に設けられたノズル13に至る流路にインペラ11が介装された構造（図２０参照）をしており、インペラ11のシャフト15が内燃機関20のクランクシャフト21に継手56を介して連結されている。
【００１９】
したがって、内燃機関20によりシャフト15を介してインペラ11が回転駆動されると、船底の取水口12から吸引された水が噴射口からノズル13を経て噴出され、その反作用で船体２が推進され小型滑走艇１は水上を滑走する。
【００２０】
ジェット推進ポンプ10による推進力は、バーハンドル６に付設されたスロットルレバー７の操作で制御され、バーハンドル６の操舵で操作ワイヤを介して前記ノズル13が回動操作され、ノズル13の出口の方向を変えることで進路方向を変更する。
内燃機関20は、船体２内の略中央でシート５の下方に配置され、船体２の前部は収納室８を有し、収納室８と内燃機関20との間には燃料タンク９が設けられている。
【００２１】
内燃機関20は、ＤＯＨＣ型４ストロークサイクルの直列４気筒内燃機関であり、クランクシャフト21を船体２の前後方向に指向させて縦置きに船体２内に配置される。
内燃機関本体20Ａは、図８を参照して上下割りされたシリンダブロック22とクランクケース23が割り面24にクランクシャフト21を回転自在に軸支するように接合され、シリンダブロック22の上にシリンダヘッド25を重ね合わせ、さらにその上にシリンダヘッドカバー26を被せて構成されている。
また、クランクケース23の下にはオイルパン27が取り付けられている。
【００２２】
なお、本明細書において船体の進行方向を向いたときを基準に左右を決める。
シリンダブロック22の右側面の下端前後にマウントブラケット22ａ，22ａが斜め上方に
向けて突設されており（図８，図１１参照）、一方クランクケース23に左側面から前後一対のマウントブラケット23ａ，23ａが割り面24に平行に突設されている（図８，図１３参照）。
【００２３】
したがって、内燃機関本体20Ａの左右に突設されたマウントブラケット22ａとマウントブラケット23ａとは互いに鈍角の角度を持って突出しており、図４に図示するように、船体内２のハル３の左右に設けられた架台28Ｌ，28Ｒに、それぞれマウントブラケット22ａ，23ａが防振ラバー部材29，29を介して同じ水平高さで取り付けられて内燃機関20が架設支持されている。
【００２４】
したがって、シリンダブロック22とクランクケース23の割り面24は、左側マウントブラケット23ａの突出方向と平行であり、よって水平線Ｈに対して左上がりに角度を有して傾斜している（図４，図８参照）。
【００２５】
内燃機関本体20Ａは、シリンダブロック22のシリンダ22ｂが割り面24に垂直に延出形成され、その延長方向にシリンダヘッド25，シリンダヘッドカバー26が設けられるとともに、オイルパン27も割り面24に垂直方向にクランクケース23に取り付けられるので、図４（および図８）に示すように内燃機関本体20Ａは、全体的に右側に傾いて船体２に搭載される。
【００２６】
図８に示すように、右傾したシリンダ22ｂ内をピストン30が往復動し、コネクティングロッド31を介してクランクシャフト21が回転される。
シリンダ22ｂに重ねられたシリンダヘッド25は、ピストン30の頂面に対向して燃焼室32が形成され、同燃焼室32に開口を有して吸気ポート33Ｉと排気ポート33Ｅが左右に延出形成されている。
【００２７】
吸気ポート33Ｉの開口を開閉する吸気バルブ34Ｉと、排気ポート33Ｅの開口を開閉する排気バルブ34Ｅをそれぞれ摺動させるカムシャフト35Ｉ，35Ｅが、シリンダヘッド25とシリンダヘッドカバー26との合わせ面位置に設けられている。
【００２８】
内燃機関本体20Ａの左側には、吸気ポート33Ｉに連通する吸気マニホールド40が接続し突設配置され、内燃機関20の右側には、排気ポート33Ｅに連通する排気マニホールド44が接続されている（図４，図５参照）。
【００２９】
内燃機関本体20Ａの後方には、ターボチャージャ43と同ターボチャージャ43により加圧された吸気を冷却するインタークーラ42とが配設される（図５，図６，図７参照）。
なお、ターボチャージャ43は、過給機としてスーパーチャージャであってもよい。
図６に示すようにインタークーラ42は、シリンダヘッド25とシリンダヘッドカバー26の合せ面の高さ位置にあり、ターボチャージャ43は、シリンダヘッド25とクランクケース23との合せ面の高さ位置にあって、インタークーラ42の直下に近接して配設されている。
【００３０】
内燃機関本体20Ａの左側面にインタークーラ42と略同じ高さで吸気マニホールド40が突設され、同吸気マニホールド40と内燃機関本体20Ａの後方に配設されたインタークーラ42とを、スロットルボディ41が連結している。
【００３１】
図５に示すように、各気筒へ連なる吸気管の集合した吸気マニホールド40が内燃機関本体20Ａの左側面に沿って後方へ屈曲されて各気筒共通のスロットルボディ41に接続され、同スロットルボディ41が内燃機関本体20Ａの後方へ回り込むように斜めに指向してインタークーラ42に接続されている。
【００３２】
スロットルボディ41は、内燃機関本体20Ａの後方に回り込むように配設され、内燃機関本体20Ａの後方に位置するインタークーラ42に近づくので、スロットルボディ41は別途配管を用いることなくインタークーラ42に直接接続されている。
図５に図示するように、吸気マニホールド40は、左舷側外側縁が後端側ほど内燃機関本体20Ａの中心に近づくように湾曲しており、インタークーラ42からスロットルボディ41を経て吸気マニホールド40に至る吸気経路が、内燃機関本体20Ａの後面から左側面に沿って滑らかに湾曲している。
【００３３】
インタークーラ42、スロットルボディ41および吸気マニホールド40は、内燃機関本体20Ａの後面から左側面に沿って集約的に配設されるとともに、スロットルボディ41が内燃機関本体20Ａの後方に回り込むように配設され内燃機関本体20Ａの後方の左右幅を狭くしている。
【００３４】
また、スロットルボディ41は、内燃機関本体20Ａの後方に回り込むように配設され、内燃機関本体20Ａの後方に位置するインタークーラ42に近づくので、スロットルボディ41をインタークーラ42に直接接続して配管等を削減できる。
【００３５】
インタークーラ42の直下に配置されるターボチャージャ43は、そのタービン部43Ｔが排気マニホールド44の排気導出路44ａと接続され、コンプレッサ部43Ｃが上方のインタークーラ42と接続される。
【００３６】
すなわち、インタークーラ42の直下にターボチャージャ43は配置されるので、図７に示すように、インタークーラ42から下方へ延出した接続管42ｉがコンプレッサ部43Ｃの上方へ延出した接続管43ｏと直接接続されている。
したがって、特別接続用の配管等を必要としない。
【００３７】
こうしてターボチャージャ43からインタークーラ42を経て吸気マニホールド40に至る吸気経路が滑らかに湾曲し効率良く構成されて同吸気経路の距離が最短となり、吸気抵抗は最小となって吸気効率が向上する。
【００３８】
一方、本内燃機関20の排気経路は、排気マニホールド44から排気導出路44ａを介してターボチャージャ43のタービン部43Ｔに至っており、タービン部43Ｔでタービンホイールを回転させた排気は、図１および図２に示すように、また図２０を参照して、排気管47ａ，逆流防止室47ｂ（転覆時にターボチャージャ等へ水が侵入しないように水の逆流を防止する室），ウォータマフラ47ｃ，配管47ｄを順次経て水中に通じるウォータチャンバ47ｅに至り、水中内へと排出されるようになっている。
【００３９】
前記したように、クランクシャフト21は、シリンダブロック22とクランクケース23の割り面24の各軸受に回転自在に軸支されるが、同軸受に２次振動を打ち消す２軸のバランサシャフト36Ｌ，36Ｒがクランクシャフト21の左右に回転自在に軸支される。
【００４０】
クランクシャフト21の４つの気筒に対応する４対のクランクウエブ21ｗ間の３つのクランクジャーナル21ｊと前後２つのクランクジャーナル21ｊの計５つのクランクジャーナル21ｊが、シリンダブロック22とクランクケース23の上下両側にそれぞれ形成された前後方向に垂直な壁をなす５つのリブ22ｒ、23ｒに形成された半円弧状の軸受にメタルベアリングを介して挟まれて回転自在に軸支される（図７および図９参照）。
【００４１】
図９のシリンダブロック22の下面図に示すように、クランクシャフト21をその軸受で軸支する５つのリブ22ｒのうち中央のリブ22rcを除いた４つのリブ22ｒが左右両端に至るまで屈曲することなく平坦であるのに対して、中央のリブ22rcは、その左右端部が屈曲してクランクシャフト21を軸支する軸受部より前方（図９において左方）に偏倚している。
【００４２】
この中央のリブ22rcの前方に偏倚した左右部分に、バランサシャフト36Ｌ，36Ｒの後側軸受部が設けられ、バランサシャフト36Ｌ，36Ｒの前側軸受部は、最前側の外壁をなすリブ22ｒの左右部分に設けられている。
すなわち、バランサシャフト36Ｌ，36Ｒは、クランクシャフト21の左右に平行に並んで最前側のリブ22ｒの軸受と中央のリブ22rcの軸受にメタルベアリングを介して回転自在に前後を軸支され、シリンダブロック22の前側に偏って配設されている。
【００４３】
そして、バランサシャフト36Ｌ，36Ｒは、そのバランスウエイトが中央のリブ22rcにより分割され、中央のリブ22rcとその前隣りのリブ25ｒとの間にバランスウエイト36Ｌｗ，36Ｒｗを有するとともに、中央のリブ22rcより後方に片持ち状態に突出したバランスウエイト36Ｌｗ，36Ｒｗを備えている。
シリンダブロック22は、バランサシャフト36Ｌ，36Ｒが配設される前側の左右幅が大きく、バランサシャフト36Ｌ，36Ｒがない後側は狭くなっている。
【００４４】
図９および図１１に示すように、シリンダブロック22およびクランクケース23の最前側の外壁をなすリブ22ｒ，23ｒの内面に沿って回転するクランクシャフト21のクランクウエブ21ｗの外周にドライブギア21ｇが形成されている。
一方、バランサシャフト36Ｌ，36Ｒも最前側の外壁をなすリブ22ｒ，23ｒの内面に沿ってドリブンギア36Ｌｇ，36Ｒｇが形成されている。
【００４５】
そして左側バランサシャフト36Ｌのドリブンギア36Ｌｇとクランクシャフト21のクランクウエブ21ｗ外周のドライブギア21ｇとが直接噛合っている。
他方、図８に示すように、右側バランサシャフト36Ｒのドリブンギア36Ｒｇの斜め左寄り上方には、中間軸37がシリンダブロック22のリブ22ｒに支持され、同中間軸37に回転自在に軸支された中間ギア37ｇが右側バランサシャフト36Ｒのドリブンギア36Ｒｇと噛合うと同時にクランクシャフト21のクランクウエブ21ｗ外周のドライブギア21ｇとも噛合っている。
【００４６】
したがって、左右のバランサシャフト36Ｌ，36Ｒは、クランクシャフト21の回転により、互いに反対方向に回転し、クランクシャフト21の２倍の回転速度で回転して２次振動を打ち消すように働く。
【００４７】
クランクシャフト21の回転を左右のバランサシャフト36Ｌ，36Ｒに伝達するドライブギア21ｇ，中間ギア37ｇ，ドリブンギア36Ｌｇ，36Ｒｇのギア機構は、最前側の外壁をなすリブ22ｒ，23ｒの内面に沿ってシリンダブロック22およびクランクケース23の内側に配設され、シリンダブロック22およびクランクケース23のマウントブラケット22ａ，23ａと前後方向同一位置で側面視において重なる位置にある。
【００４８】
したがって、シリンダブロック22およびクランクケース23における回転動力を伝達するギア機構の周囲およびバランサシャフト36Ｌ，36Ｒの軸受部の剛性が、特別な構造を付加することなく十分高く確保される。
【００４９】
クランクシャフト21のシリンダブロック22およびクランクケース23の外壁をなすリブ22ｒ，23ｒより外側に突出した部分には、図１１に示すようにワンウェイクラッチ50を介してスタータ用ドリブンギア51がリブ22ｒ，23ｒの外面に沿って設けられるとともに、同スタータ用ドリブンギア51より前方にＡＣジェネレータ54のアウタロータ54ｒが取り付けられる（図９参照）。
【００５０】
図８に２点鎖線で示すように、スタータ用ドリブンギア51には、減速ギア軸52に回転自在に支持された小径ギア52ａが噛み合い、小径ギア52ａと一体の大径ギア52ｂが左側バランサシャフト36Ｌの上方に位置するスタータモータ53の駆動軸に嵌着したドライブギア53ａに噛み合っている。
【００５１】
一方、クランクシャフト21の後部は、図９に示すように、シリンダブロック22およびクランクケース23の後壁の軸受部にベアリング55を介して軸支されて後方に突出しており、この後端部が前記ジェット推進ポンプ10のインペラ11に接続されるシャフト15に継手56を介して連結される。
【００５２】
図９を参照して、シリンダブロック22およびクランクケース23の後壁と最後側のリブ22ｒ，23ｒとの間はカムチェーン室57が形成されていて、同カムチェーン室57でクランクシャフト21にはドライブスプロケット58が嵌着され、図１２に示すように上方の前記カムシャフト35Ｉ，35Ｅの後端部に嵌着されたドリブンスプロケット59Ｉ，59Ｅとの間にカムチェーン60が架渡されている。
【００５３】
カムチェーン室57において、左右のカムチェーンガイド65，66がシリンダヘッド25からシリンダブロック22にかけてカムチェーン60に沿って設けられている。
右舷側のカムチェーンガイド66は、上端をシリンダヘッド25に突設された支軸67に揺動自在に軸支され、下部をシリンダブロック22に取り付けられたカムチェーンテンショナ68によって付勢されてカムチェーン60を押さえつけ適当なテンションを与えているようにしている（図１２参照）。
【００５４】
このカムチェーンガイド66の取り付けに際しては、シリンダヘッド25におけるカムチェーン室57の上端開口からカムチェーンガイド66を挿入して上端軸支部を支軸67に軸支させるようにするが、支軸67がカムチェーン室57の上端開口から幾らか深い位置にあるので、上端軸支部を支軸67に軸支させる作業が容易ではない。
【００５５】
そこで、本カムチェーンガイド66には上端から上方へ延出して屈曲したつまみ部66ａが形成されていて、同つまみ部66ａを掴んで上端軸支部を支軸67に軸支させる作業を容易にしている。
なお、カムチェーンガイド66の取り外しに際しても、カムチェーンガイド66につまみ部66ａを有することで、取り外し作業も容易である。
【００５６】
クランクケース23の下面には、図１３に図示するように、前後方向に長尺矩形の開口を有し、その開口周縁に合せ面23ｂが形成されており、この合せ面23ｂに合せてオイルパン27が下方から取り付けられる。
【００５７】
矩形の合せ面23ｂには、ねじ孔23ｐが形成され、図１４および図１５に示すように、オイルパン27の矩形の周縁合せ面27ｂに形成された取付孔27ｐにボルト61を貫通してねじ孔23ｐに螺入しオイルパン27がクランクケース23に取り付けられる。
【００５８】
図１３を参照して、クランクケース23の下面に沿って前後方向にメインオイル通路23Ｃが貫通してクランクケース23の前壁に開口しており、５つのリブ23ｒのオイル通路23Ｃをまたぐ左右にボルト孔23ｄが形成されていて、同ボルト孔23ｄを貫通した締付ボルト38がシリンダブロック22に螺入してクランクケース23とシリンダブロック22を締付け結合する（図８参照）。
【００５９】
なお、メインオイル通路23Ｃの左右に左右バランサシャフト36Ｌ，36Ｒの軸受にオイルを供給する左右バランサ用オイル通路23Ｌ，23Ｒが、メインオイル通路23Ｃに平行に設けられて、左右バランサ用オイル通路23Ｌ，23Ｒともにクランクケース23の前壁に開口している（図８参照）。
【００６０】
また、クランクケース23の矩形の合せ面23ｂ内には、後半部に前後方向に長尺の長方形状をした枠壁70が形成されており、枠壁70は前辺、左辺、右辺の３辺と後辺として合せ面23ｂの壁の以上４辺からなり、枠壁70内は上底面71を有して下方を開放している（図１３参照）。
枠壁70の下端面は、オイルパン27との合せ面23ｂと同一高さにある。
【００６１】
一方、オイルパン27の内部には、図１４および図１５に示すように、クランクケース23の枠壁70のうち左辺と右辺の後部を除く側壁に対応してオイル通路を形成する枠壁72が底面から立設されている。
枠壁72の前側壁に円開口を有して前方へ真っ直ぐオイル回収通路73が延設され、オイル回収通路73はオイルパン27の前壁に開口して（図８参照）、後記するオイルポンプ90に連通する。
【００６２】
図１５を参照して、鉛直壁である枠壁72の左側壁と右側壁の各後部がコ字状に欠損して連通口が形成され、その連通口の３辺の各内縁部には溝条72Ｌ，72Ｒが形成されている。
なお、左側壁の連通口は左右方向に対して垂直であるが、右側壁の連通口は右側壁の後部が中央寄りに屈曲し後方に行くに従い中央に近づくように傾斜している。
【００６３】
したがって、左側壁の連通口の溝条72Ｌと右側壁の連通口の溝条72Ｒは、図１５の上面視で、後方を近づけた略Ｖ字状をなすように形成されている。
この溝条72Ｌ，72Ｒにそれぞれ横長矩形のオイルストレーナ74Ｌ，74Ｒが略鉛直姿勢で嵌合されるので、オイルストレーナ74Ｌ，74Ｒも略Ｖ字状に配置される。
【００６４】
オイルストレーナ74Ｌの側面図を図１６に示す。
枠壁72の左側壁の連通口に対応する長方形のオイルスクリーン74Ｌａの周縁部のフレームにゴム部材74Ｌｂが周設されている。
他方のオイルストレーナ74Ｒも枠壁72の右側壁の連通口に対応する長方形のオイルスクリーン74Ｒａの周縁部のフレームにゴム部材74Ｒｂが周設された同じ構造のものであるが（図９参照）、後部が中央寄りに傾斜している分長尺であり、オイルスクリーン74Ｒａの面積はより大きい。
【００６５】
このオイルストレーナ74Ｌ，74Ｒが、枠壁72の各連通口の溝条72Ｌ，72Ｒにそれぞれ嵌合された状態で、オイルパン27がクランクケース23に取り付けられると、クランクケース23側の枠壁70とオイルパン27側の枠壁72がその端面どうしを突き合わせ、オイルストレーナ74Ｌ，74Ｒの上端ゴム部材74Ｌｂ，74Ｒｂが枠壁70の左側壁と右側壁に当接して、オイルパン27内の空間を枠壁70，72、上底面71、オイルパン底面およびオイルストレーナ74Ｌ，74Ｒが仕切って直方体状のオイル通路をなすキャビティ79が形成される。
【００６６】
キャビティ79は、枠壁72の前側壁の開口からオイル回収通路73に連通している。
したがって、オイルパン27内に溜まったオイルは、オイルストレーナ74Ｌ，74Ｒのオイルスクリーン74Ｌａ，74Ｒａを通ってキャビティ79に流入し、オイル回収通路73に入る。
【００６７】
オイルパン27にオイルストレーナ74Ｌ，74Ｒが鉛直姿勢で配置されるので、水平姿勢で配置されるのに比べ、オイルパン27の左右幅を狭めることが可能で、小型滑走艇の船底の中央の左右上がりに形成されるハル３の形状に合わせることが容易であり、またオイルパンの上下幅を小さくしてもオイルストレーナの左右に十分な空間を備えることができ、オイルパン自体の上下幅を小さくし、内燃機関の全高を低くできる。
【００６８】
また、オイルパン27の後部にオイルストレーナ74Ｌ，74Ｒが略Ｖ字状に配置されるので、加速時にオイルパン27内の後方に集まったオイルをろ過し易く、オイルストレーナ74Ｌ，74Ｒ自体を小型化できる。
また、シリンダヘッド25の各部を潤滑し、カムチェーン室57を通って落ちてくるオイルの流れを阻害せずに、オイルパン27に戻すことができる。
【００６９】
このオイルストレーナ74Ｌ，74Ｒにより仕切られるキャビティ79は、クランクケース23に形成された枠壁70と上底面71およびオイルパン27に形成された枠壁72とオイルパン底面とで画成されるので、特別専用部品を必要とせず、部品点数の削減を図ることができる。
また、オイルストレーナ74Ｌ，74Ｒもクランクケース23とオイルパン27に挟持される構造なので、組付け性に優れている。
【００７０】
以上のシリンダブロック22、クランクケース23およびオイルパン27の前面には同一平面をなす合わせ面22ｆ，23ｆ，27ｆが形成され（図８参照）、同合わせ面22ｆ，23ｆ，27ｆにオイルタンク80のタンク本体81が接合される。
なお、オイルタンク80は、このタンク本体81とタンク本体81の前面に被せられるタンクカバー88とから構成されている。
【００７１】
図４および図９に示すように、タンク本体81は、シリンダブロック22、クランクケース23およびオイルパン27の前面の合わせ面22ｆ，23ｆ，27ｆに接合する合わせ面81ｒとタンクカバー88との合わせ面81ｆを平行に有し、合わせ面81ｒより前方に膨出してＡＣジェネレータ54や減速ギア52ａ，52ｂを覆うＡＣＧカバー部82が形成され、そのＡＣＧカバー部82の上方および左右側方にかけて全体で縦長のオイル収容部83が形成され、さらにオイル収容部83の右側にクランクシャフト21より高い位置で一部張り出すように水冷式のオイルクーラ収容部85が形成されている。
【００７２】
なお、図４は、シリンダブロック22、クランクケース23およびオイルパン27の前面にタンク本体81を取り付けた状態の前面図である。
オイル収容部83の上部空間にはブリーザ室84が設けられている。
【００７３】
図９に示すように、前記ＡＣジェネレータ54のアウタロータ54ｒは、カップリング62ａとともにボルト63によりクランクシャフト21の先端部に固着されている。
カップリング62ａは、次記するオイルポンプ90のポンプ軸95の後端のカップリング62ｂと連結される。
【００７４】
このカップリング62ａ,62ｂ部分を覆うカップリングカバー部82ａがＡＣＧカバー部82の中央に後方に突出して形成されて、このカップリングカバー部82ａに固定されてＡＣジェネレータ54のインナステータ54ｓが支持されている。
【００７５】
このＡＣジェネレータ54を前方から覆うＡＣＧカバー部82の前方にオイルポンプ90が設けられる。
オイルポンプ90は、前記タンク本体81に前方から接合される第１ケース92と、さらに前方から接合されてボルト94により第１ケース92とともにタンク本体81に取り付けられる第２ケース93とを有し、これら前後の第１，第２ケース92，93をクランクシャフト21と同軸に貫通したポンプ軸95が、ＡＣＧカバー部82を貫通し、その後端に前記カップリング62ｂが後方よりボルト95ａにより固着されている。
【００７６】
このポンプ軸95における第１ケース92内の軸部にインナロータが嵌着されてスキャベンジングポンプ90Ｓが設けられ、第２ケース93内の軸部にインナロータが嵌着されてフィードポンプ90Ｆが設けられている。
したがって、クランクシャフト21の回転が、カップリング62ａ，62ｂを介してポンプ軸95の回転に伝達されてスキャベンジングポンプ90Ｓとフィードポンプ90Ｆが駆動される。
【００７７】
図４および図９を参照して、タンク本体81の下部には、オイルパン27のオイル回収通路73に連結するオイル回収通路86が形成され、オイル回収通路86は、第１ケース92の後面にその一部が形成されて上方に延びてスキャベンジングポンプ90Ｓに至っている。
【００７８】
したがって、スキャベンジングポンプ90Ｓの駆動により、オイルパン27に溜まった潤滑油がオイルストレーナ74Ｌ，74Ｒを通ってオイル回収通路73を前方に吸入され、オイル回収通路86を通って上方のスキャベンジングポンプ90Ｓに至る。
【００７９】
図９を参照して、スキャベンジングポンプ90Ｓの上方には、第１ケース92の後面とタンク本体81の前面により共通の回収オイル吐出路87が形成されていて、回収オイル吐出路87の上端は、オイルタンク80のオイル収容部83に開口している。
したがって、スキャベンジングポンプ90Ｓの駆動により吐出された回収オイルは、回収オイル吐出路87を通って、オイルタンク80のオイル収容部83に回収される。
【００８０】
また、図９に示すように、第１ケース92の前面と第２ケース93の後面とで、供給オイル吸入路96がフィードポンプ90Ｆの下方に形成されるとともに、供給オイル吐出路98がフィードポンプ90Ｆの上方に形成される。
供給オイル吸入路96の下端は、オイル収容部83の底面に近い高さに開口しており、上端はフィードポンプ90Ｆの吸込口に連通しており、途中にスクリーンオイルフィルタ97が介装されている。
【００８１】
供給オイル吐出路98は、フィードポンプ90Ｆの吐出口から上方に延びた後、後方に屈曲して、タンク本体81に形成された横孔98ａに連結される。
横孔98ａは、同じタンク本体81に形成された縦孔98ｂに連通して上方に向かっており、この縦孔98ｂの上端は、後記するオイルフィルタ110の取付面に環状になって開口しており、オイルフィルタ110のオイル入口111に連通している（図１０参照）。
【００８２】
したがって、フィードポンプ90Ｆが駆動されると、オイルタンク80のオイル収容部83の下部から供給オイル吸入路96を通って潤滑油が吸い上げられ、供給オイル吐出路98に吐出され、タンク本体81に形成された横孔98ａおよび縦孔98ｂを上方に圧送されてオイルフィルタ110に至る。
【００８３】
なお、供給オイル吐出路98の途中にはリリーフバルブ99がオイル収容部83との間で介装されており、供給オイルの吐出圧が大き過ぎるときは、余分なオイルをオイル収容部83に戻すようにしている。
【００８４】
図４および図１０に示すように、水冷式のオイルクーラ100は、タンク本体81の前面に縦長に画成されたオイルクーラ収容部85に突設される。
オイルクーラ100は、オイルが通る複数枚の熱交換用プレート100ａと、このプレート100ａ内に上部で連通する上流側パイプ100ｂと、プレート100ａ内に下部で連通する下流側パイプ100ｃとからなり、タンク本体81側に形成された上穴と下穴に、それぞれ上流側パイプ100ｂと下流側パイプ100ｃが連結されてオイルクーラ100はタンク本体81に取り付けられる。
【００８５】
このオイルクーラ100は、図１０に示すようにタンクカバー88の一部により前方から覆われて内部のオイルクーラ収容部85に冷却水が流入・流出され、オイルクーラ100内のオイルが冷却される。
【００８６】
タンク本体81において、オイルクーラ100の上流側パイプ100ｂが連結される上穴は、図１０に示すように、上流側パイプ100ｂの後方で切換弁105ａを備えるオイルサーモスタット105の一方の出口に連通し、オイルクーラ100の下流側パイプ100ｃが連結される下穴は、オイルクーラ100の下流側油路である下方へ延びるオイル縦通路107に連通している。
オイルサーモスタット105のもう１つ別の出口は、オイルクーラ100を迂回してオイル縦通路107に連結するバイパス油路106に連通している。
【００８７】
また、図１０に示すように、オイルサーモスタット105の入口は、同オイルサーモスタット105の上方に取り付けられたオイルフィルタ110のオイル出口112とオイルクーラ100の上流側油路113を介して連通している。
オイルフィルタ110は、前記したようにフィードポンプ90Ｆにより圧送されたオイルがオイル入口111から流入されて、ろ過されたオイルがオイル出口112に流出する。
【００８８】
オイルサーモスタット105は、切換弁105ａの移動により潤滑油が所定温度以上のとき、オイルクーラ100側を開放してバイパス油路106側を閉じ、潤滑油が所定温度未満であると、バイパス油路106側を開放してオイルクーラ100側を閉じる。
【００８９】
バイパス油路106には、低圧用オイルスイッチ115が取付けられて油圧の異常低下を検出するとともに、オイルクーラ100およびバイパス油路106より下流のオイル縦通路107には、高圧用オイルスイッチ116が取付けられて油圧の異常上昇を検出するようになっている。
【００９０】
図１０に示すように、低圧用オイルスイッチ115は、バイパス油路106に右側に突出するように取付けられているのに対して、高圧用オイルスイッチ116は、上下方向に延びるオイル縦通路107にオイルクーラ100の下方空間を利用して前方に突出するように取付けられている。
【００９１】
図４に破線で示すように、オイル縦通路107は、タンク本体81の下部で左方に屈曲してオイル横通路108に連通し、同オイル横通路108は後方に向かって３本の分岐路を有し、中央に内燃機関20のメインギャラリにオイルを供給するメインギャラリ用供給路109ｃ、左右端にそれぞれ左右のバランサシャフト36Ｌ，36Ｒの軸受部にオイルを供給する左バランサ用供給路109ｌと右バランサ用供給路109ｒが設けられている（図１３参照）。
【００９２】
図９に示すように、メインギャラリ用供給路109ｃは、前記クランクケース23のメインオイル通路23Ｃに連結され、メインオイル通路23Ｃからクランクシャフト21の各軸受部へリブ23ｒ内の通路に分配されてオイルが供給される。
【００９３】
左バランサ用供給路109ｌと右バランサ用供給路109ｒは、前記左バランサ用オイル通路23Ｌと右バランサ用オイル通路23Ｒにそれぞれ連結され（図１３参照）、左バランサ用オイル通路23Ｌと右バランサ用オイル通路23Ｒからそれぞれ上方に延出するオイル縦通路23Ｌａ，23Ｒａが左右バランサシャフト36Ｌ，36Ｒの軸受に通じており、各軸受にオイルが供給される（図８参照）。
【００９４】
また、右側のオイル縦通路23Ｒａは、クランクケース23とシリンダブロック22との割り面24に達し、さらにシリンダブロック22に形成されたオイル縦通路22Ｒａに連通し、オイル縦通路22Ｒａは、中間軸37の軸受に至っており、中間軸37の軸受にオイルが供給される。
【００９５】
クランクケース23側のオイル縦通路23Ｒａとシリンダブロック22側のオイル縦通路22Ｒａとの連結部を示す図１７を参照して、オイル縦通路22Ｒａの下部は内径が拡径した中径円孔部、さらに中径円孔部が拡径して大径円孔部が順次形成されて大径円孔部が割り面24に開口してクランクケース23側のオイル縦通路23Ｒａと連通する。
【００９６】
そして、フランジ付きの有底円筒状をなし底部に小孔118ａを有するオリフィス部材118が、円筒部をオイル縦通路22Ｒａの中径円孔部に嵌入し、フランジ部を大径円孔部に嵌合して装着され、さらにフランジ部に重ねて中空円板状のフィルタ119が大径円孔部に嵌合されている。
フィルタ119は、大径円孔部と同じ外径を有し、中空の円孔119ａがオイル縦通路22Ｒａと略同じ内径を有し、図１８に図示するように、オイル縦通路22Ｒａの大径円孔部に嵌合したとき下側となる面にＶ字溝119ｂが十字に穿設されている。
【００９７】
オイル縦通路22Ｒａの大径円孔部に、オリフィス部材118のフランジ部とフィルタ119が嵌合すると、フィルタ119の下面はシリンダブロック22の割り面24と同一面をなし、シリンダブロック22とクランクケース23を重ね合わせたとき、オイル縦通路23Ｒａの開口端面がフィルタ119の外周縁部を押えてフィルタ119がオリフィス部材118とともに支持される。
【００９８】
したがって、オイル縦通路23Ｒａおよびオイル縦通路22Ｒａを通って中間軸37の軸受に供給されるオイルは、割り面24のところでオリフィス部材118により絞られるが、その直前にフィルタ119が配置され、オリフィス部材118の小孔118ａを詰まらせるような異物が流れてきてもフィルタ119の下面で留め、オイルは十字に穿設されたＶ字溝119ｂを介して流れるようにして、中間軸37の軸受へのオイルの供給は常に確保されるようにしている。
【００９９】
以上のほかに、メインオイル通路23Ｃから上方のカムシャフト35Ｉ，35Ｅの軸受へオイルが供給されるとともに、ターボチャージャ43にもオイルが供給され、それぞれオイルパン27に戻る循環経路が形成されている。
【０１００】
以上の潤滑油の循環経路図を図１９に示し、全体を説明する。
オイルパン27に溜まった潤滑油は、スキャベンジングポンプ90Ｓの駆動により吸引され、オイルストレーナ74Ｌ，74Ｒを経てろ過されてオイル回収通路73，86を通ってスキャベンジングポンプ90Ｓに吸入され、スキャベンジングポンプ90Ｓから吐出された潤滑油は、オイルタンク80内に回収される。
【０１０１】
オイルタンク80内に回収された潤滑油は、フィードポンプ90Ｆの駆動により吸引され、スクリーンオイルフィルタ97を経てフィードポンプ90Ｆに吸入され、フィードポンプ90Ｆから吐出された潤滑油は、横孔98ａおよび縦孔98ｂを通って途中リリーフバルブ99を経てオイルフィルタ110に流入しろ過されてオイルサーモスタット105に至る。
【０１０２】
オイルサーモスタット105は、潤滑油が所定温度以上のとき切換弁105ａがオイルクーラ100側を開放して潤滑油がオイルクーラ100を流れて冷却され、他方潤滑油が所定温度未満のとき切換弁105ａがバイパス油路106側を開放して潤滑油がバイパス油路106を流れて冷却されずに下流のオイル縦通路107に流れる。
なお、バイパス油路106には低圧用オイルスイッチ115が取付けられ、オイル縦通路107には高圧用オイルスイッチ116が取付けられている。
【０１０３】
オイル縦通路107を下方に流れる潤滑油は、下端のオイル横通路108で３本の分岐路に分岐してクランクケース23の下部を後方へ流れる。
左右のバランサ用供給路109ｌ，109ｒに分岐した潤滑油は、それぞれ左右のバランサ用オイル通路23Ｌ，23Ｒを通って、左右バランサシャフト36Ｌ，36Ｒの軸受に供給される。
なお、前記したように右バランサシャフト36Ｒに供給された潤滑油がさらに中間軸37にも供給される。
【０１０４】
中央のメインギャラリ用供給路109ｃに分岐した潤滑油は、メインオイル通路23Ｃを通りながら、さらに分岐してクランクシャフト21の各軸受部に供給される。
なお、クランクシャフト21の各軸受部に供給された潤滑油は、クランクシャフト21内に形成された油路を通ってコネクティングロッド31の大端部との連結部に供給される。
【０１０５】
また、メインオイル通路23Ｃからは上方に向かってカムシャフト用オイル供給路120が形成されていて、カムシャフト用オイル供給路120を上昇した潤滑油は、左右のカムシャフト35Ｉ，35Ｅの各軸内油路に流れ、軸内油路から各軸受および各カム面に供給される。
クランクシャフト21，左右バランサシャフト36Ｌ，36Ｒおよび左右カムシャフト35Ｉ，35Ｅ等を潤滑した潤滑油は、最終的にオイルパン27に戻る。
【０１０６】
さらに、メインオイル通路23Ｃからはオイルフィルタ121を介してターボチャージャ43にターボ用オイル供給管122が延出しており、メインオイル通路23Ｃに流れた潤滑油の一部は、ターボ用オイル供給管122を通ってターボチャージャ43に供給される。
【０１０７】
ターボチャージャ43に供給された潤滑油は、軸受を潤滑するのとタービン側で熱を遮断して冷却するのと分流し、２つの流れは２本のオイル排出管123，124によってオイルパン27に戻される。
【０１０８】
一方、小型滑走艇１に搭載される本内燃機関20の冷却系は、小型滑走艇１を浮かべている水を利用しており、図２０に冷却水の循環経路を示す。
ジェット推進ポンプ10のインペラ11の下流正圧側の冷却水取込み口131から冷却水導入ホースＡを介して冷却水が導入され、冷却水導入ホースＡはワンウエイバルブ132の下流で冷却水ホースＢ１と冷却水ホースＣ１に分岐して第１冷却水経路Ｂと第２冷却水経路Ｃに分かれている。
【０１０９】
一方の第１冷却水経路Ｂは、インタークーラ42と排気マニホールド44を経由して内燃機関本体20Ａに向かう経路であり、冷却水ホースＢ１はインタークーラ42の左側の流入接続管42ａに接続され、インタークーラ42の右側の流出接続管42ｂから他方に延出した冷却水ホースＢ２が排気マニホールド44のウォータジャケットの後部に取り付けられた流入継手部材44ｂに接続されている（図５，図６，図７参照）。
【０１１０】
図５および図６に示すように、排気マニホールド44の上部に取り付けられた流出継手部材44ｃには冷却水ホースＢ３が接続され、冷却水ホースＢ３に分岐接続管Ｄを介して冷却水ホースＢ４が接続され、冷却水ホースＢ４はシリンダブロック22の導入継手部材22ａに接続されている。
シリンダブロック22のウォータジャケットは、シリンダヘッド23のウォータジャケットに連通している。
【０１１１】
したがって、第１冷却水経路Ｂは、冷却水ホースＢ１を通った冷却水が、インタークーラ42に流入して吸気を冷却し、その後冷却水ホースＢ２を通って排気マニホールド44に形成されたウォータジャケットに流入して排気マニホールド44を冷却し、その後冷却水ホースＢ３，Ｂ４を通って内燃機関20のシリンダブロック22のウォータジャケットに流入し、シリンダブロック22のウォータジャケットおよびシリンダヘッド23のウォータジャケットを循環して内燃機関本体20Ａを冷却して船外に排出される。
【０１１２】
他方の第２冷却水経路Ｃは、オイルクーラ100を経由して排気管47ａに向かう経路であり、冷却水ホースＣ１はオイルクーラ100におけるオイルクーラ収容部85の下部の流入接続管85ａに接続され、オイルクーラ収容部85の上部の冷却水流出部85ｂから延出した冷却水ホースＣ２が前記分岐接続管Ｄを介して冷却水ホースＣ３に接続され、冷却水ホースＣ３は排気マニホールド44の上部に設置された接続管135を介して冷却水ホースＣ４に接続され、冷却水ホースＣ４はシリンダヘッドカバー26の右側面に沿って後方へ延びてターボチャージャ43の流入接続管43ａに接続されている（図５，図６参照）。
【０１１３】
ターボチャージャ43に流入した冷却水は、図２０に示すように、排気管47ａに形成されたウォータジャケットに至り、排気管47ａから逆流防止室47ｂ，ウォータマフラ47ｃ，配管47ｄを順次経てウォータチャンバ47ｅに至る。
【０１１４】
したがって、第２冷却水経路Ｃは、冷却水ホースＣ１を通った冷却水が、オイルクーラ100のオイルクーラ収容部85に流入して潤滑油を冷却し、その後冷却水ホースＣ２，Ｃ３，Ｃ４を通ってターボチャージャ43のウォータジャケットに流入してターボチャージャ43を冷却した後、排気管47ａのウォータジャケットに至り、排気管47ａを冷却するとともに、排気を取り込んで、逆流防止室47ｂ，ウォータマフラ47ｃ，配管47ｄを順次経て水中に通じるウォータチャンバ47ｅに至り、水中内へと排出される。
【０１１５】
以上の第１冷却水経路Ｂと第２冷却水経路Ｃが共通に使用している分岐接続管Ｄは、オイルクーラ100のオイルクーラ収容部85の下流の冷却水ホースＣ２とシリンダブロック22のウォータジャケットの上流の冷却水ホースＢ４とを連通するバイパス通路も形成している。
したがって、オイルクーラ100を通った冷却水の一部が、分岐接続管Ｄのバイパス流路を経て排気マニホールド44のウォータジャケットから流出した冷却水に混入されてシリンダブロック22のウォータジャケットに流入する。
【０１１６】
本内燃機関20の冷却系は、以上のように構成されている。
ジェット推進ポンプ10の冷却水取込み口131から導入した冷却水を、内燃機関20のシリンダブロック22およびシリンダヘッド23のウォータジャケットに直接流すと、内燃機関20が暖機される前に過冷却状態となることがあり、燃料がピストンとシリンダの隙間を通って潤滑油に溶け込んで潤滑油が希釈化される所謂ダイリューションが起こる。
【０１１７】
そこで、本冷却系では、前記第１冷却水経路Ｂにおいて、暖まるのが早い排気マニホールド44を経て昇温された冷却水が、冷却水ホースＢ３，Ｂ４を介してシリンダブロック22のウォータジャケットに流入するようにし、内燃機関20の過冷却を防止してダイリューションを緩和し、オイル劣化を抑制している。
【０１１８】
内燃機関20が暖機された後は、今度は排気マニホールド44を経た冷却水は温度が高過ぎるので、本冷却系には、第２冷却水経路Ｃにおけるオイルクーラ収容部85の下流の冷却水ホースＣ２と第１冷却水経路Ｂにおける冷却水ホースＢ４とを連通するバイパス通路を兼ねる分岐接続管Ｄを備えており、ターボチャージャ43の上流側でオイルクーラ100を通ったそれ程温度の高くない冷却水の一部が、分岐接続管Ｄを経て排気マニホールド44を通った冷却水に混入されるようにし、シリンダブロック22のウォータジャケットに流入される冷却水を適温に保つようにして内燃機関20を効率良く冷却できるようにしている。
【０１１９】
オイルクーラ100を通った冷却水のうち一部が分岐接続管Ｄのバイパス通路に分流し、残りが全部本来の第２冷却水経路Ｃにあってターボチャージャ43のウォータジャケットに流入してターボチャージャ43を冷却し、次いで排気管47ａ等を冷却する。
【０１２０】
また、前記した潤滑系において、オイルサーモスタット105は、潤滑油が所定温度以上のときオイルクーラ100側を開放して潤滑油を冷却することで、内燃機関20の冷却を促進することができる。
【０１２１】
一方で、潤滑油が所定温度未満のときはバイパス油路106側を開放して潤滑油がオイルクーラ100を通らずにバイパスして冷却されず暖機運転を促進するとともに、冷間時に過冷却が未然に防止されるようにしている。
【図面の簡単な説明】
【０１２２】
【図１】本発明の一実施の形態に係る内燃機関を搭載した小型滑走艇の側面図である。
【図２】同平面図である。
【図３】図１におけるIII-III線で切断した断面図である。
【図４】一部断面一部省略した船体および内燃機関の正面図である。
【図５】同内燃機関の上面図である。
【図６】同内燃機関の左側面図である。
【図７】同内燃機関の後面図である。
【図８】同内燃機関の一部断面一部省略した正面図である。
【図９】同内燃機関の側断面図である。
【図１０】同内燃機関の一部切欠き一部省略した右側面図である。
【図１１】クランクシャフトを断面としてシリンダブロックを下面から見た図である。
【図１２】カムチェーン室内を示す後面図である。
【図１３】クランクケースを下面図である。
【図１４】オイルパンの下面図である。
【図１５】同オイルパンの上面図である。
【図１６】オイルストレーナの側面図である。
【図１７】オイル縦通路の要部拡大断面図である。
【図１８】フィルタの斜視図である。
【図１９】潤滑油の循環経路を示す図である。
【図２０】冷却水の循環経路を示す図である。
【符号の説明】
【０１２３】
１…小型滑走艇、10…ジェット推進ポンプ、11…インペラ、12…取水口、20…内燃機関、20Ａ…内燃機関本体、21…クランクシャフト、22…シリンダブロック、23…クランクケース、25…シリンダヘッド、42…インタークーラ、43…ターボチャージャ、44…排気マニホールド、47ａ…排気管、47ｂ…逆流防止室、47ｃ…ウォータマフラ、47ｄ…配管、47ｅ…ウォータチャンバ、80…オイルタンク、85…オイルクーラ収容部、88…タンクカバー、100…オイルクーラ、131…冷却水取込み口、132…ワンウエイバルブ、135…接続管、
Ａ…冷却水導入ホース、
Ｂ…第１冷却水経路、Ｂ１，Ｂ２，Ｂ３，Ｂ４…冷却水ホース、
Ｃ…第２冷却水経路、Ｃ１，Ｃ２，Ｃ３，Ｃ４，Ｃ５…冷却水ホース。
【図１】
0004620633.tif 000002
【図２】
0004620633.tif 000003
【図３】
0004620633.tif 000004
【図４】
0004620633.tif 000005
【図５】
0004620633.tif 000006
【図６】
0004620633.tif 000007
【図７】
0004620633.tif 000008
【図８】
0004620633.tif 000009
【図９】
0004620633.tif 000010
【図１０】
0004620633.tif 000011
【図１１】
0004620633.tif 000012
【図１２】
0004620633.tif 000013
【図１３】
0004620633.tif 000014
【図１４】
0004620633.tif 000015
【図１５】
0004620633.tif 000016
【図１６】
0004620633.tif 000017
【図１７】
0004620633.tif 000018
【図１８】
0004620633.tif 000019
【図１９】
0004620633.tif 000020
【図２０】
0004620633.tif 000021